(57)【要約】【課題】  本発明は、着脱の手間がなく、蓄光材特有の黄〜黄緑色が目立ちにくく、昼間でも違和感なく着用できて、洗濯や摩擦で脱落することもない耐久性のある夜間発光衣類を提供することを目的とする。【解決手段】  本発明は、衣類の縫目を構成する生地と生地の間あるいは生地と芯地の間に蓄光材を挟み、蓄光材が外観上は見えない位置で蓄光材と生地とを一緒に縫い合わせる。また、蓄光材特有の色をより目立たないようにするために、蓄光材の色相と補色の関係にある色相の透明フィルム又はテープを、蓄光材に重ねて生地と縫い合わせる。【選択図】  図１
2007077530.tif 000002
【特許請求の範囲】
【請求項１】
衣類の縫目を構成する生地と生地の間あるいは生地と芯地の間に蓄光材を挟み、前記蓄光材を前記生地に縫い合わせたことを特徴とする発光衣類。
【請求項２】
有色透明フィルム又は有色透明テープを、前記蓄光材に重ねて、縫い合わせたことを特徴とする請求項１記載の発光衣類。
【請求項３】
前記蓄光材の巾が５ｍｍ〜１５ｍｍであることを特徴とする請求項１乃至２記載の発光衣類。
【請求項４】
前記蓄光材を縫い合わせる位置が、衿、ポケット、前立、袖口、剣ボロ、脇、ヨーク、袖付、カフス部の少なくとも一つであることを特徴とする請求項１乃至３記載の発光衣類。
【発明の詳細な説明】
【技術分野】
【０００１】
本発明は、部屋の照明や昼間の太陽光などを蓄積し、夜間に発光する衣類に関するものである。
【背景技術】
【０００２】
従来、夜間または暗闇における通行人や作業者の安全を確保するために、夜間発光や蓄光材により着色された衣類や光反射性のテープを貼り付けたチョッキ等を着用することにより視認性を高める工夫がされてきた。
【０００３】
上記夜間の視認性（安全性）を高めるために、以下のような提案がなされている。
＜１＞特許文献１（特開平１０−３７００７号公開公報）には、夜間の交通取り締まりや巡回道路案内の際などに警察官や案内者の安全を確保するために、着用する夜光反射チョッキにおいて、チョッキ体の胴周部に帯状の水平反射部を形成すると共に、このチョッキ体の前装部と後装部との表面に帯状の反射部を下方に行く程左右対向間隔が狭くなるＶ字状に対設したチョッキ体に受光した光を蓄積しその蓄積した光を発光せしめる蓄光部を設けた夜光反射チョッキが、提案されている。
この夜光反射チョッキは、ベルト・シートを着脱しなければならず煩雑で手間である。又、ベルト・シートを装着すると元々着用している衣服とは外観が異なってしまうため、用途は夜間の駐車場の整理・交通整理等に限定される、という課題がある。
【０００４】
＜２＞特許文献２（実開平７−１２４１７号公開公報）及び特許文献３（実開平７−１２４１８号公開公報）には、放射性物質を実質上含有しない夜光性顔料により全面（一部）が着色されている夜光性衣類が、提案されている。
この夜光性衣類は、衣類に着色しているので着脱の手間はなくなる。しかし、衣類に着色しているので、外観上の問題、すなわち、昼間又は照明下では夜行性顔料に特有の黄〜黄緑の色が目立つという問題がある。更に、洗濯や摩擦で顔料が脱落したり剥がれたりするために、効果が持続できないという問題がある。
【０００５】
＜３＞特許文献４（特開２００１−２５４２０９号公開公報）には、衣類のステッチの一部又は全部を、布地に対し違和感の無い同色又は類似色或いは異色の蛍光糸で縫製する発光性を持たせた衣類が提案されている。
しかしながら、この衣類は、布地に対する蛍光糸の色はデザイン上違和感の無い色を使用するなどしているが、外見上は区別できるものであり、特に白色のシャツやブラウス等には使用が限定されるという問題がある。
【０００６】
【特許文献１】特開平１０−３７００７号公開公報
【特許文献２】実開平７−１２４１７号公開公報
【特許文献３】実開平７−１２４１８号公開公報
【特許文献４】特開２００１−２５４２０９号公開公報
【発明の開示】
【発明が解決しようとする課題】
【０００７】
本発明は、上記の問題点に鑑み考えられたもので、着脱の手間がなく、蓄光材特有の黄〜黄緑色が目立ちにくく、昼間でも違和感なく着用できて、洗濯や摩擦で脱落することもない耐久性のある夜間発光衣類を提供することを目的とする。
【課題を解決するための手段】
【０００８】
本発明は、
＜１＞衣類の縫目を構成する生地と生地の間あるいは生地と芯地の間に蓄光材を挟み、前記蓄光材を前記生地に縫い合わせたことを特徴とする発光衣類、
＜２＞有色透明フィルム又は有色透明テープを前記蓄光材に重ねて、縫い合わせたことを特徴とする請求項１記載の発光衣類、
＜３＞前記蓄光材の巾が５ｍｍ〜１５ｍｍであることを特徴とする＜１＞乃至＜２＞記載の発光衣類、
＜４＞前記蓄光材を縫い合わせる位置が、衿、ポケット、前立、袖口、剣ボロ、脇、ヨーク、袖付、カフス部の少なくとも一つであることを特徴とする＜１＞乃至＜３＞記載の発光衣類、
を提供する。
【発明の効果】
【０００９】
本発明の発光衣類によれば、畜光材を縫製品の縫目の生地の間に挟みこみ、生地と縫い合わせて蓄光材を固定することにより、着脱の手間がなく、蓄光材特有の黄〜黄緑色が目立ちにくく、昼間でも違和感なく着用でき、洗濯や摩擦で脱落することもない耐久性のある夜間又は暗闇の発光衣類を提供することが出来る。
また、本件発明の発光衣類は、夕方または日没後に自転車で通学する機会が多い、中学生や高校生向けのスクールシャツ・ブラウスに、特に有用である。
【発明を実施するための最良の形態】
【００１０】
以下、本発明につき詳しく説明する。
本発明は、衣類の縫目を構成する生地と生地の間あるいは生地と芯地の間に蓄光材を挟み、蓄光材が外観上は見えない位置で蓄光材と生地とを一緒に縫い合わせる。
図１は、ポケット部に蓄光材を縫い合わせた断面図である。図１の符号１は蓄光材で、２はポケット用生地、３は前身頃、４は縫い目である。ポケット用生地２の端側数ｍｍを、身頃側に１８０°折り畳み、折り畳まれた間に蓄光材１を挟み、ポケットの上側を除いて、縫い合わせている。図１の中に破線で表した部分は、蓄光材１を、ポケット用生地と前身頃３の間で縫い合わせた場合を示している。この破線の位置で縫い合わせた場合、外側からは見えにくくなるが、生地が重なり厚くなり、光を通し難くなり蓄光が悪くなる場合がある。
また、蓄光材を挟む位置は、光を通し易い生地の厚みができるだけ薄いところが好ましい。衣類の外側に対して、生地が重なり、厚くなった位置に蓄光材を挟むと、太陽光等の光を通しにくく蓄光が進まない、また、夜間発光しても視認性が低くなる場合がある。
【００１１】
蓄光材は、太陽光、蛍光灯（電灯）、ブラックライトなどの光を吸収してエネルギーとして蓄え、このエネルギーを徐々に放出して発光するものであれば、特に限定されない。
蓄光材に用いる蓄光性顔料は、特に制限されないが、従来一般的に用いられていた硫化亜鉛よりも輝度・残光性能の優れたアルミン酸塩化物系の顔料が好ましい。
蓄光材は、蓄光テープあるいは蓄光シートをテープ状に切断して使用する。蓄光テープの巾は、衣類の縫製仕様に合わせて適宣選択すれば良いが、５ｍｍ〜１５ｍｍの巾が好ましい。蓄光テープの巾が５ｍｍ未満の場合は、夜間に発光しても、視認性が低い、また、蓄光テープの巾が１５ｍｍを超えるような巾とした場合は、昼間でも視認し易くなってしまうという問題がある。
衣類を構成する生地は、特に制限されないが、蓄光材は照明や太陽の光を蓄積して暗闇（夜間）で発光することから、生地は光の透過率が高いポプリンやブロードクラスの薄手の生地が好ましい。
蓄光材を挟み込める箇所は、衣類の縫目がある箇所全てが該当し、具体的には衿、ポケット、前立、袖口、剣ボロ、脇、ヨーク、袖付、カフス等が挙げられる。
【００１２】
また、蓄光材特有の色をより目立たないようにするために、蓄光材の色相と補色の関係にある色相の透明フィルム又はテープを、蓄光材に重ねて生地と縫い合わせても良い。例えば、蓄光材の色相が黄緑色の場合は、紫色の透明フィルムまたは透明テープを使用する。この有色透明フィルムまたは透明テープは、着色濃度は薄い方が良く、また、光を透過するものであれば材質は特に制限はない。
透明フィルムまたは透明テープの挟み込む位置は、衣類の生地と蓄光材の間に挟み、衣類の外側から見たとき、透明フィルムまたは透明テープが、蓄光材の外側になるようにする。
【実施例】
【００１３】
以下、実施例を示し、本発明を具体的に説明するが、本発明は下記の実施例に限定されるものではない。
［実施例１］
白色シャツのヨーク縫製部に本発明の蓄光材を縫い合わせて試料を作成した。
生地は、素材がポリエステル６５質量％、綿３５質量％の混紡糸を使い、平織（経糸が綿番手４５，密度１４１．５本／インチ、緯糸が綿番手４５，密度７２本／インチ）とし、その後形態安定加工としてプレキュア樹脂加工を行なった。
縫製は、一般的なシャツの縫製工程に従って、ヨーク部と後身頃のパーツを使用して縫製した。
図２を用いて、縫製箇所を詳細に説明する。図２中、５はヨーク部表生地、６はヨーク部裏生地、７は後身頃、１は蓄光テープ、４は縫い糸である。
ヨーク部表生地５と後身頃７とヨーク部裏生地６の端を揃え、ヨーク部表生地５を図中左側に１８０°折り畳み、同様にヨーク部裏生地６を図中左側に１８０°折り畳む、そして、このヨーク部表生地５の折り畳んだ間に蓄光テープ１を挟み、これらの生地の端に沿って、すべての生地と蓄光テープ１を縫い合わせた。なお、ヨーク部表生地５とは、シャツの外側であり、ヨーク部裏生地６とは人体側になる生地をいう。
蓄光テープ１は、巾１ｃｍのルミナステープ（住友３Ｍ社製）（または、スーパー夜行テープ（シンロイヒ株式会社製））を用いた。
この実施例１の試料に蛍光灯を１時間照射後、完全に遮光した暗室中で１０ｍ離れて視認性（蓄光性）を目視により判定し、表１に示した。
【００１４】
［実施例２］
生地、織物、樹脂加工及び縫製は、実施例１と同様に行った。
実施例１と異なる点は、蓄光テープ１に、有色透明テープ８をヨーク部表側５に重ねて縫い合わせた。有色透明テープ８として、５色補正用テープ(半透明カラー包装紙、紫色、材質：ポリプロピレン、株式会社大創産業製）を巾１ｃｍのテープ状にカットしたものを用いた。
この実施例２の試料に蛍光灯を１時間照射後、完全に遮光した暗室中で１０ｍ離れて視認性（蓄光性）を目視により判定し、表１に示した。
【００１５】
［比較例１］
生地、織物、樹脂加工及び縫製は、実施例１と同様に行った。
実施例１と異なる点は、蓄光テープ及び有色透明テープを用いていないことである。
この実施例２の試料の暗闇での視認性を、表１に示した。
【００１６】
【表１】
2007077530.tif 000003
【図面の簡単な説明】
【００１７】
【図１】本発明のポケット部に適用した場合の断面図である。
【図２】本発明の一実施形態に係るヨーク縫製部の断面図である。
【図３】本発明の他の一実施形態に係るヨーク縫製部の断面図である。
【符号の説明】
【００１８】
１    蓄光材
２    ポケット用生地
３    前身頃
４    縫い目
５    ヨーク部表生地
６    ヨーク部裏生地
７    後身頃
８    有色透明テープ
【図１】
2007077530.tif 000004
【図２】
2007077530.tif 000005
【図３】
2007077530.tif 000006